(57)【要約】【課題】外観性及び防犯性能を高めたスーツケースを提供する。【解決手段】図（ｂ）に示すように、２個のスライダー６３が所定の位置にある。第１カバー２１を閉じる。次に、第２カバー２２を閉じる。図（ａ）に示すように、スライダー６３は第１・第２カバー２１、２２で覆われた。スライダー６３が露出していないために防犯性能が高まる。加えて、スライダー６３が露出していないため、外観性が高まる。加えて、図（ｂ）に示すように、全開時に第１カバー２１はケース本体１１から、はみ出ない。第２カバー２２は蓋体１３から、はみ出ない。スーツケース１０をテーブル６２に横置きするときに、第１カバー２１がテーブル６２に当たる心配がない。【選択図】図５
0003215161.tif 000002
【実用新案登録請求の範囲】
【請求項１】
ケース本体と、このケース本体の開口を塞ぐ蓋体と、この蓋体と前記ケース本体を開閉自在に繋ぐファスナーとを備えているスーツケースにおいて、
前記ファスナーは、一条当たり２個のスライダーを有し、
前記２個のスライダーは、所定位置でスライダーカバーで覆われ、
このスライダーカバーは、前記ケース本体に揺動可能に取付けた第１カバーと、前記蓋体に揺動可能に取付けた第２カバーと、この第２カバーと前記第１カバーとの一方に他方を施錠する施錠機構とを備え、
前記第１カバーは、開放状態でも前記ケース本体から突出しない大きさに設定され、
前記第２カバーは、開放状態でも前記蓋体から突出しない大きさに設定されていることを特徴とするスーツケース。
【請求項２】
請求項１記載のスーツケースであって、
前記第１カバー及び前記第２カバーは、ばねで開方向に付勢されていることを特徴とするスーツケース。
【請求項３】
請求項１又は請求項２記載のスーツケースであって、
前記スライダーカバーは、前記２個のスライダーを収納する収納凹部を備え、この収納凹部に、前記ファスナーに直交する一対の直交壁が含まれていることを特徴とするスーツケース。
【請求項４】
請求項３記載のスーツケースであって、
前記収納凹部は、前記２個のスライダーのうち一方に付属する一方の引き手に、他方に付属する他方の引き手を重ねた形態に対応する大きさに設定されていることを特徴とするスーツケース。
【請求項５】
請求項４記載のスーツケースであって、
前記一方の引き手と前記他方の引き手は、重ねた状態で一方に他方を止める連結機構を備えていることを特徴とするスーツケース。
【請求項６】
請求項１〜５のいずれか１記載のスーツケースであって、
前記スライダーカバーの形状は、八角形であることを特徴とするスーツケース。
【考案の詳細な説明】
【技術分野】
【０００１】
本考案は、ファスナーで開閉する形態のスーツケースに関する。
【背景技術】
【０００２】
ケース本体と、このケース本体の開口を塞ぐ蓋体と、この蓋体と前記ケース本体を開閉自在に繋ぐファスナーとを備えているスーツケースが各種提案されてきた（例えば、特許文献１（図１）参照）。
【０００３】
特許文献１の図１に示されるように、スーツケースは、ケース本体（１０）（括弧付き数字は、特許文献１に記載された符号を示す。以下同様）と、蓋体（１４）と、ファスナー（２０）とを備えている。ファスナー（２０）は、一条当たり２個のスライダー（２１）を備える。スライダー（２１）に付属する引き手は、蓋体（１４）に備えるロック（１２）に止められる。
【０００４】
引き手が目立つため、外観性の点で難がある。また、引き手が露出しているため、先が尖った金具で引き手がこじ開けられる心配があり、防犯性の点でも難がある。
そこで、外観性及び防犯性能を高めたスーツケースが望まれる。
【先行技術文献】
【特許文献】
【０００５】
【特許文献１】実用新案登録第３１９７７７７号公報
【考案の概要】
【考案が解決しようとする課題】
【０００６】
本考案は、外観性及び防犯性能を高めたスーツケースを提供することを課題とする。
【課題を解決するための手段】
【０００７】
請求項１に係る考案は、ケース本体と、このケース本体の開口を塞ぐ蓋体と、この蓋体と前記ケース本体を開閉自在に繋ぐファスナーとを備えているスーツケースにおいて、
前記ファスナーは、一条当たり２個のスライダーを有し、
前記２個のスライダーは、所定位置でスライダーカバーで覆われ、
このスライダーカバーは、前記ケース本体に揺動可能に取付けた第１カバーと、前記蓋体に揺動可能に取付けた第２カバーと、この第２カバーと前記第１カバーとの一方に他方を施錠する施錠機構とを備え、
前記第１カバーは、開放状態でも前記ケース本体から突出しない大きさに設定され、
前記第２カバーは、開放状態でも前記蓋体から突出しない大きさに設定されていることを特徴とする。
【０００８】
請求項２に係る考案は、請求項１記載のスーツケースであって、
前記第１カバー及び前記第２カバーは、ばねで開方向に付勢されていることを特徴とする。
【０００９】
請求項３に係る考案は、請求項１又は請求項２記載のスーツケースであって、
前記スライダーカバーは、前記２個のスライダーを収納する収納凹部を備え、この収納凹部に、前記ファスナーに直交する一対の直交壁が含まれていることを特徴とする。
【００１０】
請求項４に係る考案は、請求項３記載のスーツケースであって、
前記収納凹部は、前記２個のスライダーのうち一方に付属する一方の引き手に、他方に付属する他方の引き手を重ねた形態に対応する大きさに設定されていることを特徴とする。
【００１１】
請求項５に係る考案は、請求項４記載のスーツケースであって、
前記一方の引き手と前記他方の引き手は、重ねた状態で一方に他方を止める連結機構を備えていることを特徴とする。
【００１２】
請求項６に係る考案は、請求項１〜５のいずれか１記載のスーツケースであって、
前記スライダーカバーの形状は、八角形であることを特徴とする。
【考案の効果】
【００１３】
請求項１に係る考案では、２個のスライダーを、所定位置にてスライダーカバーで覆うようにした。スライダーや引き手は外から見えないため、外観性が高まる。また、スライダーカバーが施錠されているため、防犯性が高まる。
よって、本考案によれば、外観性及び防犯性能を高めたスーツケースが提供される。
【００１４】
加えて、施錠状態はもとより、開放状態でもスライダーカバーが、スーツケースから突出しない（以下、はみ出ないとも言う。）ため、スーツケースを任意の向きに置くことができ、スーツケースの使い勝手が良くなる。
【００１５】
請求項２に係る考案では、スライダーカバーが、ばねで一方向へ付勢されているため、スライダーカバーが、開放時に、ふらつく心配がない。
【００１６】
請求項３に係る考案では、２個のスライダーが収納凹部に収納され、その上、収納凹部に一対の直交壁を備えている。スライダーカバーの下から先の尖った金具を差し入れようとしても、直交壁で阻まれる。結果、防犯性能がさらに高まる。
【００１７】
請求項４に係る考案では、一方の引き手に他方の引き手を重ねた大きさに、収納凹部の大きさを設定する。収納凹部が小さくなり、スライダーカバーの小型化が達成できる。
【００１８】
請求項５に係る考案では、一方の引き手と他方の引き手が連結機構で止められる。
仮に、一条のファスナーが水平に延びるようにスーツケースを置くと、引き手が垂れ下がり、収納凹部に収納し難くなることがある。
この点、請求項５では、一対の引き手が互いに相手を支えるため、垂れ下がりが僅かになる。結果、２個のスライダーを容易に収納凹部に収納することができる。
【００１９】
請求項６に係る考案では、スライダーカバーの形状は、八角形である。矩形に比較して、八角形であれば、四隅が面取りされているため、丸みを帯びた印象を受ける。上隅が丸みを帯びているスーツケースに八角形のスライダーカバーは好適である。
【図面の簡単な説明】
【００２０】
【図１】本考案に係るスーツケースの正面図である。
【図２】図１の２−２線断面図である。
【図３】施錠機構の原理及び作用を説明する図である。
【図４】スライダーカバーの分解図ある。
【図５】スライダーカバーの作用図である。
【図６】連結機構の原理及び作用を説明する図である。
【図７】スライダーカバーの変更例を示す図である。
【考案を実施するための形態】
【００２１】
本考案の実施の形態を添付図に基づいて以下に説明する。なお、図面は符号の向きに見るものとする。
【実施例】
【００２２】
図１に示すように、スーツケース１０は、ケース本体１１と、このケース本体１１の開口を塞ぐ蓋体１３と、この蓋体１３とケース本体１１を開閉自在に繋ぐファスナー６０と、このファスナー６０を局部的に覆うスライダーカバー２０と、ケース本体１１及び蓋体１３の底に設けたキャスター１４と、ケース本体１１に設けた伸縮ハンドル１５と、非伸縮形のハンドル１６とを備えている。
【００２３】
スライダーカバー２０の形状は、この例では八角形（略八角形を含む。）である。
八角形は、矩形の四隅を面取りした形状となるため、全体的に丸みを帯び、優しい印象を受ける。
加えて、スーツケース１０の上隅が丸みを帯びている場合に、スーツケース１０の上隅と八角形の面取りとがほぼ平行になり、スライダーカバー２０がスーツケース１０に馴染み、全体的な外観性が良くなる。
【００２４】
図２に示すように、ケース本体１１と蓋体１３は、ファスナー６０で繋がれている。そして、スライダーカバー２０は、ケース本体１１に取付けられる第１カバー２１と、蓋体１３に取付けられる第２カバー２２とを主要素とする。
【００２５】
ケース本体１１に局部的に凹部１１ａが設けられ、この凹部１１ａに第１カバー２１が収納される。この第１カバー２１は、ファスナー６０から最も離れた部位がヒンジ金具２３を介してケース本体１１に取付けられる。第１カバー２１は先端部（図では下面）に収納凹部２４を一体的に備えている。
【００２６】
第１カバー２１は、ヒンジピン２５を中心に揺動する。第１カバー２１はヒンジピン２５回りに付属されたトーションばね等のばね２６で開方向へ付勢されている。第１カバー２１がフリーになると、ヒンジピン２５を中心に回転し、想像線で示す位置に達する。全開時には、第１カバー２１は、ばね２６でケース本体１１に付勢されるため、第１カバー２１がふらつくことはない。
【００２７】
同様に、蓋体１３に局部的に凹部１３ａが設けられ、この凹部１３ａに第２カバー２２が収納される。この第２カバー２２は、ファスナー６０から最も離れた部位がヒンジ金具２７を介して蓋体１３に取付けられている。
【００２８】
第２カバー２２は、ヒンジピン２８を中心に揺動する。第２カバー２２はヒンジピン２８回りに付属されたトーションばね等のばね２９で開方向へ付勢されている。第２カバー２２がフリーになると、ヒンジピン２８を中心に回転し、想像線で示す位置に達する。全開時には、第２カバー２２は、ばね２９で蓋体１３に付勢されるため、第２カバー２２がふらつくことはない。
【００２９】
全開状態の第１カバー２１は、ケース本体１１の外面より、距離Ｌ１だけ内側に入っている。そのため、第１カバー２１は、ケース本体１１から突出することはなく、第１カバー２１が邪魔になることはない。
同様に、全開状態の第２カバー２２は、蓋体１３の外面より、距離Ｌ２だけ内側に入っている。そのため、第２カバー２２は、蓋体１３から突出することはなく、第２カバー２２が邪魔になることはない。
【００３０】
以上の構成からなるスライダーカバー２０には、施錠機構３０が備えられている。この施錠機構３０の構造及び作用を、図３に基づいて説明する。
【００３１】
図３（ａ）に示すように、施錠機構３０は、例えば、スーツケース１０の所有者又は利用者が指で操作するダイヤル３１と、このダイヤル３１に付属するカム３２と、このカム３２の外周に当たる突起３３を有するスライド板３４と、突起３３がカム３２に密着するようにスライド板３４を付勢する第１ばね３５と、スライド板３４に平行に配置され一端に指で押すボタン３６を有するドライバー３７と、このドライバー３７を指押しに抗するように戻す第２ばね３８と、ドライバー３７に当たる第１爪４１及びスライド板３４に当たる第２爪４２を有するロック板４３と、このロック板４３を第１ばね３５が縮む方向へ回転させる第３ばね４４と、鍵穴４５を有するシリンダ錠４６とを備えている。
【００３２】
加えて、施錠機構３０において、シリンダ錠４６から延びる駆動片４７に対応する第３爪４８がロック板４３に設けられている。また、ドライバー３７は、ガイド４９で直線的に移動するように案内される。第２ばね３８は一方のガイド４９とボタン３６との間に配置され、ガイド４９を支点にしてボタン３６及びドライバー３７を押し戻す。
さらには、ドライバー３７にＬ字フック５１、５１が一体的に設けられている。これらのＬ字フック５１、５１は、Ｕ環５２、５２に嵌る。
【００３３】
図３（ａ）では、ボタン３６を押しても、ドライバー３７が第２爪４２に当たって阻止されるため、押し動作は無効となる。Ｌ字フック５１、５１がＵ環５２、５２に嵌ったままとなり、施錠状態が維持される。
次に、ダイヤル３１を人為的に回して、カム３２の溝３２ａが突起３３に合致するようにする。
【００３４】
すると、図３（ｂ）に示すように、カム３２の溝３２ａに突起３３が嵌り、結果、スライド板３４は、溝３２ａの深さに相当する長さ（距離）だけ、図面右へ移動する。
このスライド板３４でロック板４３が図面反時計方向へ回される。すると、ロック板４３の第２爪４２がドライバー３７から外れる。
この状態で、ボタン３６を人為的に押すと、ドライバー３７が移動し、Ｕ環５２、５２からＬ字フック５１、５１が外れ、解錠状態となる。次に、Ｕ環５２、５２は図面奥へ移動させることができる。
【００３５】
以上の施錠−解錠は、シリンダ錠４６でも実施できる。すなわち、図３（ａ）にてシリンダ錠４６の駆動片４７で第３爪４８を押して、ロック板４３を図面反時計方向に回すことにより、図３（ｂ）の形態が得られる。この状態で、ボタン３６を押すと、ドライバー３７が移動し、Ｕ環５２、５２からＬ字フック５１、５１が外れ、解錠状態となる。
以上に述べた施錠機構３０は、一例であり、構造は適宜変更することは差し支えない。
【００３６】
図４では、第１カバー２１と第２カバー２２を左右に分離して示した。ファスナー６０に沿って第２カバー２２を図面右へ移動することにより、第１カバー２１に第２カバー２２を重ねることができる。重ねた後は、スライダーカバー２０は、八角形を呈する。
【００３７】
第１カバー２１は、八角形の一部を構成する変形八角形とした。このような第１カバー２１は、ヒンジ金具２３から最も遠い部位にＵ環５２、５２を備え、Ｕ環５２、５２が備えられている面の裏面に収納凹部２４を備えている。この収納凹部２４は、ファスナー６０に直交する（ほぼ直交を含む。）直交壁６１、６１を有している。
【００３８】
また、第２カバー２２も八角形の一部を構成する変形八角形とした。このような第２カバー２２は、施錠機構３０（Ｕ環５２、５２を除く。）を内蔵している。ダイヤル３１はヒンジ金具２７から最も遠い部位に配置される。
このような第１カバー２１及び第２カバー２２は、図１及び図２に示すようにスーツケース１０に取付けられる。
【００３９】
図５（ａ）に示すように、スーツケース１０は、ケース本体１１が下になるようにして、テーブル６２又は床に横置きされる。所有者又は利用者は、ダイヤル３１を所定の番号に合わせた後に、ボタン３６を押す。又は、鍵穴４５へキーを挿入し、シリンダ錠４６を回した後に、ボタン３６を押す。
すると、ばね（図２、符号２６、２９）の付勢作用により、図５（ｂ）に示すように、第１カバー２１は下へ開き、第２カバー２２は上に開く。結果、２個のスライダー６３、６３が現れる。
【００４０】
すなわち、ファスナー６０は、一条当たり２個のスライダー６３、６３を有し、２個のスライダー６３、６３は、所定位置（収納凹部２４に対応する位置）でスライダーカバー２０によりカバーされる。
【００４１】
なお、スライダーカバー２０は、全開状態でも、第１カバー２１はテーブル６２との間に、距離Ｌ１が確保されているため、第１カバー２１がテーブル６２に当たる心配はない。加えて、第１カバー２１は、ばね（図２、符号２６）で一方向へ押されているため、ふらつくことはない。
同様に、第２カバー２２はスーツケース１０の上面との間に、距離Ｌ２が確保されているため、第２カバー２２がスーツケース１０から上へ、はみ出ることはない。加えて、第２カバー２２も、ばね（図２、符号２９）で一方向へ押されているため、ふらつくことはない。
【００４２】
次に、スライダー６３の好ましい構造例を、図６に基づいて説明する。
図６（ａ）に示すように、スライダー６３は、本体部６４と、この本体部６４の上面に固定した引き手止め環６５と、引き手止め環６５に掛けた引き手６６又は６７とからなる。
一方の引き手６６と他方の引き手６７との間に、連結機構７０を設ける。
【００４３】
連結機構７０は、例えば、一方の引き手６６に設けたホック穴７１と、他方の引き手６７に設けたホック爪７２とからなる。加えて、他方の引き手６７には、図６（ｃ）に示すように、引き手止め環６５を収納する窓部７３を設けておく。ホック穴７１とホック爪７２は面ファスナーや磁石であってもよい。よって、連結機構７０の構成は任意である。
【００４４】
図６（ａ）にて、２個のスライダー６３を矢印（１）、（１）のように接近させる。次に、一方の引き手６６を矢印（２）のように倒す。次に、他方の引き手６７を矢印（３）のように回転して、一方の引き手６６に重ねる。この重ねる際に、ホック穴７１にホック爪７２を嵌める。結果、図６（ｂ）となる。
【００４５】
図６（ｂ）のＣ矢視図である図６（ｃ）では、ファスナー６０が左右に延びている。仮に、通常の引き手であれば、垂れ下がる心配がある。本例では、２つの引き手６６、６７が連結機構（ホック穴７１及びホック爪７２）で連結されているため、互いに支え合い、垂れ下がりが防止される。
垂れなければ、引き手６６、６７の位置が確保され、図６（ｄ）に示す第１カバー２１を閉じるときに、収納凹部２４を２つのスライダー６３に円滑に被せることができる。
【００４６】
図６（ｄ）に示すように、２つのスライダー６３が収納凹部２４に収納された。この構造では、次に述べる２つの利点がある。
第１に、変更例を示す図６（ｅ）であれば、収納凹部２４の長さＷ１は大きくなる。対して、図６（ｄ）であれば、収納凹部２４の長さＷ２は十分に小さくなり、結果、第１カバー２１のコンパクト化が達成でき、スライダーカバ（図１、符号２０）のファスナー６０に沿った長さを短縮することができるという利点がある。
【００４７】
第２に、図６（ｄ）に示すように、収納凹部２４は、一対の直交壁６１、６１を有する。直交壁６１は、ファスナー６０を図面表裏方向に横断する壁である。仮に、先が尖った金具７５を第１カバー２１の下へ差し入れようとしても、直交壁６１がそれを妨げる。結果、金具７５でスライダー６３を押すことはできない。防犯性能が高まるという利点がある。
【００４８】
なお、連結機構７０は、必要に応じて設けられるものであって、省略することは差し支えない。
また、図６（ｂ）に示すように、一方の引き手６６に他方の引き手６７を重ねることは望ましいが、図６（ｅ）の形態であってもよい。
【００４９】
また、窃盗や悪質な悪戯がそれほど心配されないときには、収納凹部２４に設ける直交壁６１、６１を省いてもよい。このときには、収納凹部２４は両端が開放された直線溝となる。
また、スーツケース１０を置くときに、本考案のスライダーカバー２０が常に上面となる場合又は上になる頻度が高い場合は、ばね（図２、符号２６、２９）を省くことができる。
【００５０】
また、スライダーカバー２０は、全体的に八角形を呈するような形状にしたが、六角形、円形、長円形、楕円形、矩形、菱形にしてもよい。
また、実施例では、第２カバー２２に施錠機構３０の要部を収納したが、施錠機構３０は第１カバー２１に収納してもよい。
また、スーツケース１０は、カバン、トランクを含む広義のケースである。
【００５１】
次に、スライダーカバーの変更例を、図７に基づいて説明する。
図２では、ケース本体１１に凹部１１ａを設けると共に蓋体１３に凹部１３ａを設け、これらの凹部１１ａ、１３ａにスライドカバー２０を収納可能にした。しかし、凹部１１ａ、１３ａは省いてもよい。
すなわち、図７に示すように、平らなケース本体１１に第１カバー２１を揺動自在に止め、平らな蓋板１３に第２カバー２２を揺動自在に止める。その他の構成要素は図２と同じであるため、図２の符号を流用して、詳細な説明は省略する。
【００５２】
図７においても、全開状態の第１カバー２１は、ケース本体１１の外面より、距離Ｌ３だけ内側に入っている。そのため、第１カバー２１は、ケース本体１１から突出することはなく、第１カバー２１が邪魔になることはない。
同様に、全開状態の第２カバー２２は、蓋体１３の外面より、距離Ｌ４だけ内側に入っている。そのため、第２カバー２２は、蓋体１３から突出することはなく、第２カバー２２が邪魔になることはない。
【００５３】
よって、本考案のスライダーカバー２０は、凹部（図２、符号１１ａ、１３ａ）に収納するか、図７のように平らなケース本体１１や蓋体１３に取付けるかは、任意である。
【産業上の利用可能性】
【００５４】
本考案は、外観性と防犯性とが要求されるスーツケースに好適である。
【符号の説明】
【００５５】
１０…スーツケース、１１…ケース本体、１３…蓋体、２０…スライダーカバー、２１…第１カバー、２２…第２カバー、２４…収納凹部、２６、２９…ばね、３０…施錠機構、６０…ファスナー、６３…スライダー、６６…一方の引き手、６７…他方の引き手、７０…連結機構。
【図１】
0003215161.tif 000003
【図２】
0003215161.tif 000004
【図３】
0003215161.tif 000005
【図４】
0003215161.tif 000006
【図５】
0003215161.tif 000007
【図６】
0003215161.tif 000008
【図７】
0003215161.tif 000009